(57)【特許請求の範囲】
【請求項１】
果実を栽培する栽培棚（Ｔ）に沿って走行する走行装置（Ａ）を設け、該走行装置（Ａ）に果実（ｓ）を収穫する収穫装置（Ｂ）を前後、左右及び上下方向に移動自在に設け、該収穫装置（Ｂ）で収穫した果実（ｓ）を回収する回収部（Ｃ）を設けた果実収穫ロボットにおいて、
前記走行装置（Ａ）に収穫部フレーム（９Ｆ，９Ｒ）を設け、該収穫部フレーム（９Ｆ，９Ｒ）に前記回収部（Ｃ）を設け、該回収部（Ｃ）よりも栽培棚（Ｔ）側に収穫装置（Ｂ）を設け、
該収穫装置（Ｂ）は、該栽培棚（Ｔ）から垂れ下がる果実（ｓ）の下方から果実（ｓ）の有無及び果実（ｓ）までの距離を検出する検出装置（３７）を設け、該検出装置（３７）が検出した果実（ｓ）が収穫可能かどうかを識別する識別装置（４９）を前記検出装置（３７）よりも栽培棚（Ｔ）側に設けるマニピュレータフレーム（３８）の上部に設け、該識別装置（４９）が収穫可能と識別した果実（ｓ）を収穫するマニピュレータ（４５）を設けて構成し、
該マニピュレータ（４５）は、前記識別装置（４９）が果実を収穫可能と識別すると作動する正逆転自在な果実収穫モータ（４４）を設け、前記マニピュレータフレーム（３８）から上方に突出する該果実収穫モータ（４４）の回転軸に果柄を把持する把持部材（４１）と該把持部材（４１）よりも上側に果柄を切断する切断部材（４３）を設け、前記マニピュレータフレーム（３８）の上端部に把持部材（４１）の回転移動を規制する規制部材（４２）を設けて構成し、
前記マニピュレータ（４５）が果実（ｓ）を把持して果柄を切断すると前記収穫装置（Ｂ）が回収部（Ｃ）側に移動する構成とし、前記マニピュレータフレーム（３８）を前記回収部（Ｃ）側に回動可能に構成し、該マニピュレータフレーム（３８）に突起（４０）を回収部（Ｃ）側に向けて設け、前記回収部（Ｃ）に該突起（４０）が接触するとマニピュレータフレーム（３８）を回動させる回収プレート（５１）を設け、前記マニピュレータフレーム（３８）が回動して接触するとオンになるスイッチ（５３）を設け、該スイッチ（５３）がオンになると前記果実収穫モータ（４４）を逆転させて前記把持部材（４１）を移動させ、果柄の把持状態を解除して果実（ｓ）を回収部（Ｃ）に投入する構成としたことを特徴とする果実収穫ロボット。
【請求項２】
前記識別装置（４９）は、果実（ｓ）の着色率を検出する第１から第３カラーセンサ（４７ａ，４７ｂ，４７ｃ）を上下方向に並べて構成したことを特徴とする請求項１記載の果実収穫ロボット。
【発明の詳細な説明】
【技術分野】
【０００１】
本発明は、太陽光利用型植物工場において高設栽培された果実類を対象とし、果実類の収穫作業を自動で行う果実収穫ロボットに関するものである。
【背景技術】
【０００２】
従来、果実類を土耕又は水耕栽培による栽培棚で栽培を行い、これらの果実類の収穫作業は人手で行うのが一般的であった。
しかしながら、近年農村における人手不足や人件費の高騰等により、収穫作業の自動化が要望されるようになってきた。
【０００３】
そこで、特許文献１に記載されるように、撮像装置と画像処理装置を用いて、栽培棚の外部から果実の認識及び収穫の適否を判断する果実類の収穫作業を行うロボットがある。
また、特許文献２に記載されるように、視覚センサと画像処理装置を用いて、栽培棚の内部から果実の認識及び収穫の適否を判断する果実類の収穫作業を行うロボットがある。
【特許文献１】特開平８−２７５６５５号公報
【特許文献２】特開２００１−１４５４１２号公報
【発明の開示】
【発明が解決しようとする課題】
【０００４】
特許文献１及び２に開示された技術は、栽培棚と栽培棚の間に敷設されたレールに沿って機体を移動させ、撮像装置で撮像した画像から収穫可能な果実を判別し、収穫装置で収穫する果実収穫ロボットであるが、複数の果実が垂れ下がっている栽培棚と栽培棚との間隔は約８０ｍｍと狭いため、小型の撮像装置や広角レンズを用いた撮像装置を用いても複数の果実が鮮明に撮像できる位置に移動させることが困難であり、未熟果実を誤って収穫したり収穫できる果実を収穫しなかったりする誤収穫や、収穫装置や撮像装置が移動する際、移動先にある果実にぶつけるなどして果実を傷つけてしまうことがあった。
【０００５】
さらに、撮像装置で撮像した画像から果実の位置を算出するための画像処理装置が必要となるため、その分ロボットの構成が複雑になってしまうと共に、果実の認識処理に時間がかかり、収穫作業にかかる時間を長引かせてしまっていた。
【０００６】
本発明の課題は狭い栽培棚間でも短時間で確実に果実を検出し、果実を傷つけることがなく、且つ簡潔な構成の果実収穫ロボットを提供することである。
【課題を解決するための手段】
【０００７】
請求項１の発明は、果実を栽培する栽培棚（Ｔ）に沿って走行する走行装置（Ａ）を設け、該走行装置（Ａ）に果実（ｓ）を収穫する収穫装置（Ｂ）を前後、左右及び上下方向に移動自在に設け、該収穫装置（Ｂ）で収穫した果実（ｓ）を回収する回収部（Ｃ）を設けた果実収穫ロボットにおいて、前記走行装置（Ａ）に収穫部フレーム（９Ｆ，９Ｒ）を設け、該収穫部フレーム（９Ｆ，９Ｒ）に前記回収部（Ｃ）を設け、該回収部（Ｃ）よりも栽培棚（Ｔ）側に収穫装置（Ｂ）を設け、該収穫装置（Ｂ）は、該栽培棚（Ｔ）から垂れ下がる果実（ｓ）の下方から果実（ｓ）の有無及び果実（ｓ）までの距離を検出する検出装置（３７）を設け、該検出装置（３７）が検出した果実（ｓ）が収穫可能かどうかを識別する識別装置（４９）を前記検出装置（３７）よりも栽培棚（Ｔ）側に設けるマニピュレータフレーム（３８）の上部に設け、該識別装置（４９）が収穫可能と識別した果実（ｓ）を収穫するマニピュレータ（４５）を設けて構成し、該マニピュレータ（４５）は、前記識別装置（４９）が果実を収穫可能と識別すると作動する正逆転自在な果実収穫モータ（４４）を設け、前記マニピュレータフレーム（３８）から上方に突出する該果実収穫モータ（４４）の回転軸に果柄を把持する把持部材（４１）と該把持部材（４１）よりも上側に果柄を切断する切断部材（４３）を設け、前記マニピュレータフレーム（３８）の上端部に把持部材（４１）の回転移動を規制する規制部材（４２）を設けて構成し、前記マニピュレータ（４５）が果実（ｓ）を把持して果柄を切断すると前記収穫装置（Ｂ）が回収部（Ｃ）側に移動する構成とし、前記マニピュレータフレーム（３８）を前記回収部（Ｃ）側に回動可能に構成し、該マニピュレータフレーム（３８）に突起（４０）を回収部（Ｃ）側に向けて設け、前記回収部（Ｃ）に該突起（４０）が接触するとマニピュレータフレーム（３８）を回動させる回収プレート（５１）を設け、前記マニピュレータフレーム（３８）が回動して接触するとオンになるスイッチ（５３）を設け、該スイッチ（５３）がオンになると前記果実収穫モータ（４４）を逆転させて前記把持部材（４１）を移動させ、果柄の把持状態を解除して果実（ｓ）を回収部（Ｃ）に投入する構成としたことを特徴とする果実収穫ロボットとした。
【０００８】
従って、検出装置（３７）は、栽培棚（Ｔ）から垂れ下がる果実（ｓ）の有無及び果実（ｓ）までの距離を茎葉等の遮蔽物の少ない下方から検出するので、果実の検出漏れを防止することができる。
【０００９】
また、検出装置（３７）で果実（ｓ）までの距離を検出することにより、識別装置（４９）やマニピュレータ（４５）が収穫する果実（ｓ）を適正に識別、収穫できる位置に収穫装置（Ｂ）を移動させることができる。
【００１０】
そして、収穫装置（Ｂ）が前後左右上下方向に移動自在であることによって、検出装置（３７）と識別装置（４９）とマニピュレータ（４５）は独立した移動機構を備えなくても、収穫装置（Ｂ）が動くことによって果実を適正に検出・識別・収穫することができる。
【００１１】
さらに、マニピュレータ（４５）や識別装置（４９）を設けるマニピュレータフレーム（３８）を検出装置（３７）よりも栽培棚（Ｔ）側に設けることにより、収穫装置（Ｂ）が移動するときに栽培棚（Ｔ）から垂れ下がる果実（ｓ）に接触することを防止できる。
【００１２】
また、マニピュレータ（４５）を識別装置（４９）よりも上方に設けることにより、識別装置（４９）を果実（ｓ）の識別作業を行う位置に移動させると、マニピュレータ（４５）も果実（ｓ）を収穫する位置に移動させることができる。
【００１３】
そして、果実収穫モータ（４４）で把持部材（４１）と切断部材（４３）を移動させる構成とすることにより、機体の構成する部品の数を減らすことができる。
さらに、規制部材（４２）で把持部材（４１）の動作を規制し、切断部材（４３）は移動させることによって、果実（ｓ）の果柄を把持すると同時に果柄を切断することができる。
【００１４】
また、マニピュレータ（４５）が果実（ｓ）を把持するとマニピュレータフレーム（３８）が回収部（Ｃ）に向かって回動し、このマニピュレータフレーム（３８）が接触するとオンになり果実収穫モータ（４４）を逆転させるスイッチ（５３）を設けたことにより、マニピュレータ（４５）で把持した果実（ｓ）を回収部（Ｃ）に近づけてから把持を解除する構成となるので、果実（ｓ）を傷つけることなく回収部（Ｃ）に投入することができる。
【００１５】
請求項２の発明は、前記識別装置（４９）は、果実（ｓ）の着色率を検出する第１から第３カラーセンサ（４７ａ，４７ｂ，４７ｃ）を上下方向に並べて構成したことを特徴とする請求項１記載の果実収穫ロボットとした。
【００１６】
従って、識別装置（４９）を第１から第３カラーセンサ（４７ａ，４７ｂ，４７ｃ）を上下方向に並べて構成したことにより、果実（ｓ）が収穫可能であるか否かを正確に識別することができる。
【発明の効果】
【００１７】
請求項１記載の発明によれば、栽培棚（Ｔ）から垂れ下がる果実（ｓ）の有無及び果実（ｓ）までの距離を茎葉等の遮蔽物の少ない下方から検出することにより、果実の検出漏れを防止することができるので、作業者が収穫漏れ果実を手作業で収穫する作業が不要となり、作業者の労力が軽減される。
【００１８】
また、検出装置（３７）で果実（ｓ）までの距離を検出することにより、識別装置（４９）やマニピュレータ（４５）を果実（ｓ）を適正に識別、収穫できる位置に移動させることができるので、識別装置（４９）やマニピュレータ（４５）が移動時に果実（ｓ）を傷つけることが防止されると共に、果実（ｓ）の収穫可否の識別や果実（ｓ）の収穫が適正に行われるため、果実（ｓ）の商品価値が向上する。
【００１９】
そして、収穫装置（Ｂ）を前後、左右及び上下方向に移動自在に構成したことにより、検出装置（３７）と識別装置（４９）とマニピュレータ（４５）の独立した移動機構を備える必要が無く、狭い作業スペースでも効率よく作業が行えると共に、機体の構成が簡潔になるので、故障が少なく効率的な作業を行うことができる。
【００２０】
さらに、マニピュレータフレーム（３８）を検出装置（３７）よりも栽培棚（Ｔ）側に設けることにより、収穫装置（Ｂ）が移動するときに栽培棚（Ｔ）から垂れ下がる果実（ｓ）に接触することを防止できるので、果実（ｓ）を傷つけることが防止されると共に、果実（ｓ）の収穫可否の識別や果実（ｓ）の収穫が適正に行われるため、果実（ｓ）の商品価値が向上する。
【００２１】
また、マニピュレータ（４５）を識別装置（４９）よりも上方に設けることにより、識別装置（４９）を果実（ｓ）の識別作業を行う位置に移動させると、マニピュレータ（４５）も果実（ｓ）を収穫する位置に移動させることができるので、少ない動作で果実（ｓ）を収穫することができ、作業能率が向上する。
【００２２】
そして、果実収穫モータ（４４）で把持部材（４１）と切断部材（４３）を移動させる構成とすることにより、機体の構成する部品の数を減らすことができるので、機体の構成が簡潔になり、故障が少なく効率的に作業を行うことができる。
【００２３】
さらに、規制部材（４２）で把持部材（４１）の動作を規制し、切断部材（４３）は移動させることによって、果実（ｓ）の果柄を把持すると同時に果柄を切断することができるので、少ない動作で果実を収穫することができ、作業能率が向上する。
【００２４】
また、マニピュレータ（４５）が果実（ｓ）を把持するとマニピュレータフレーム（３８）が回収部（Ｃ）に向かって回動し、このマニピュレータフレーム（３８）が接触するとオンになり果実収穫モータ（４４）を逆転させるスイッチ（５３）を設けたことにより、マニピュレータ（４５）で把持した果実（ｓ）を回収部（Ｃ）に近づけてから把持を解除する構成となるので、果実（ｓ）を傷つけることなく回収部（Ｃ）に投入することができ、果実（ｓ）の商品価値が向上する。
【００２５】
請求項２記載の発明によれば、請求項１記載の発明の効果に加えて、識別装置（４９）を第１から第３カラーセンサ（４７ａ，４７ｂ，４７ｃ）を上下方向に並べて構成したことにより、果実（ｓ）が収穫可能であるか否かを正確に識別することができるので、大粒の未熟な果実（ｓ）を収穫したり、小粒の成熟した果実（ｓ）を収穫しなかったりすることが防止され、収穫される果実（ｓ）の商品価値が向上する。
【発明を実施するための最良の形態】
【００２６】
本発明の実施の形態について、一実施例としていちごの栽培棚Ｔの間を走行し、いちごの収穫作業を２基の収穫装置で行ういちご収穫ロボットを説明する。
図１〜図６に示すように、いちご収穫ロボットは、いちごｓが垂れ下がるように栽培する栽培棚Ｔ間を走行するための走行装置Ａと、栽培棚Ｔから垂れ下がるいちごｓを検出して収穫する収穫装置Ｂと、収穫したいちごｓを回収する収穫部Ｃから構成されている。
【００２７】
まず、走行装置Ａの構成について説明する。
機体フレーム１の左右後下部に栽培棚Ｔのレール上を走行するための左右後輪２，２を取り付け、該機体フレーム１の前下部に従動スプロケット５を軸着したシャフト４を取り付けると共に、該シャフト４の左右端に栽培棚Ｔのレール上を走行するための左右前輪３，３を装着する。そして、機体フレーム１に駆動スプロケット７を装着したモータ６を取り付け、前記従動スプロケット５と駆動スプロケット７との間にチェーン８を無端状に掛け回し、モータ６の作動を切り替える左右スイッチ５８，５８を機体フレーム１の両端前部取り付けると共に、左右スイッチ５８，５８に左右接触センサ５７，５７を栽培棚Ｔの支柱に接触する位置に設けることによって、走行装置Ａが構成される。
【００２８】
上記構成によれば、機体の走行動力をモータ６から得ることによって、排気ガスを出すことなく栽培棚Ｔ間を走行していちごｓの収穫作業を行うことができるので、ビニールハウス内の空気を汚すことを防止でき、いちごｓの品質を向上させることができると共に、作業者が一酸化炭素中毒などを起こすことが防止されるので、作業者の安全性が向上する。
【００２９】
また、左右接触センサ５７，５７を機体前部で且つ栽培棚Ｔの支柱に接触する位置に設けていることによって、機体前部が収穫作業中の栽培棚Ｔの終端の支柱に接触すると次の栽培棚Ｔまで走行し、次の栽培棚Ｔの始端の支柱に接触すると走行を停止して収穫作業を開始するようにできるので、収穫作業の開始位置と終了位置が正確になりいちごｓの収穫が適正に行われ、作業能率が向上すると共にいちごｓの収穫漏れが減少するため、いちご収穫ロボットによる収穫作業後に収穫漏れいちごｓを手作業で収穫する作業が省略されるので、作業者の労力が軽減される。
【００３０】
なお、左右接触センサ５７，５７の代わりに近接センサ等を用いてもよい。
次に、収穫装置Ｂについて説明する。
前記機体フレーム１上の前後部に前後収穫部フレーム９Ｆ，９Ｒを取り付け、該前後収穫部フレーム９Ｆ，９Ｒの上部前後間に上部連結フレーム１０ａを取り付けると共に、該上連結フレーム１０ａよりも下方に下連結フレーム１０ｂを取り付ける。また、前記上連結フレーム１０ａと下連結フレーム１０ｂとの間で且つ上下連結フレーム１０ａ，１０ｂの前後方向略中央部に支持フレーム１１を取り付ける。そして、前記上下連結フレーム１０ａ，１０ｂ間で且つ支持フレーム１１と左右前後収穫部フレーム９Ｆ，９Ｒとの間に夫々螺子溝を刻んだメインシャフト１２を回転自在に取り付けると共に、該メインシャフト１２の左右に螺子溝を刻んだ左右サブシャフト１３，１３を固定して取り付ける。さらに、該メインシャフト１２と左右サブシャフト１３，１３とにブッシュ１４，１４，１４を介して上下動フレーム１５を取り付ける。さらに、前記上連結フレーム１０ａに駆動軸に駆動プーリ１７を装着した正逆転自在な上下動モータ１６を取り付け、メインシャフト１２の上端部に従動プーリ１９とロータリエンコーダ２０を取り付けると共に、該駆動プーリ１７と従動プーリ１９との間にベルト１８を無端状に巻き掛けて、上下動装置２１を構成する。
【００３１】
また、前記上下動フレーム１５上に左右動フレーム２３を装着し、該左右動フレーム２３に左右動ラック２２を取り付けると共に、左右動フレーム２３よりも機体外側に左右スライドレール２４を取り付ける。そして、該スライドレール２４上に、底部に転輪等のスライド部材２５を取り付けた連結フレーム２６を配置し、該連結フレーム２６上に正逆転自在な左右動モータ２７を取り付け、該左右動モータ２７の駆動軸に左右動ピニオンギア２８を装着すると共に、該左右動ピニオンギア２８を左右動ラック２２に噛み合わせて、左右動装置２９を構成する。
【００３２】
さらに、前記連結フレーム２６にプレート３０を取り付け、該プレート３０に駆動軸から前後動ピニオンギア３１を取り付けた正逆転自在な前後動モータ３２を取り付ける。また、前記連結フレーム２６に前後動ラック３３を前後動ピニオンギア３１に噛み合わせると共に、該前後動ラック３３に前後動フレーム３４を取り付けて、前後動装置３５を構成する。
【００３３】
そして、該前後動フレーム３４に穴部を開けた連結プレート３６を取り付け、該連結プレート３６の穴部の下部に超音波センサ３７を取り付ける。また、前記連結プレート３６の機体外側端部にマニピュレータフレーム３８を蝶番３９を介して機体内側方向に移動自在に取り付け、該マニピュレータフレーム３８の下端部に超音波センサ３７を挟むように一対の突起４０，４０を取り付ける。さらに、マニピュレータフレーム３８の上部にいちごｓの果柄を把持する把持ハンド４１と、該把持ハンド４１を受ける弾性体等で構成するストッパ４２を取り付けると共に、該把持ハンド４１の上部にいちごｓの果柄を切断する果柄カッタ４３を取り付ける。また、前記把持ハンド４１と果柄カッタ４３とを移動させる正逆転自在な果実収穫モータ４４の駆動軸に把持ハンド４１と果柄カッタ４３とを移動自在に装着すると共に、連結プレート３６とマニュピレータフレーム３８との間にスプリング４６を取り付けてマニピュレータ４５を構成する。
【００３４】
さらに、前記果実収穫モータ４４の左右一側に、センサケース４８の内部に超音波センサ３７で検出されたいちごｓの着色の度合いを調べる第１〜第３カラーセンサ４７ａ，４７ｂ，４７ｃを縦方向に並べて構成した、いちごｓが収穫可能かどうかを識別する収穫識別センサ４９を構成する。
【００３５】
なお、カラーセンサ４７ａ…の数を増やせばより細かくいちごｓの着色を識別することができると共に、横方向に並べるといちごｓが幅広であってもいちごｓ全体を調べることができるので、いちごｓの品種や作業条件によってカラーセンサ４７ａ…の数や並べ方を変更するとより高精度且つ高能率の収穫作業を行うことができる。
【００３６】
また、前記上下動フレーム１５の下部に接続プレート５０を取り付け、該接続プレート５０に先端部を下方に向けて屈曲させると共に前記超音波センサ３７が通過でき、突起４０，４０は屈曲部分に接触する幅の複数の切欠５２を切り欠いた回収プレート５１を取り付ける。また、前記蝶番３９にＯＮになると果実収穫モータ４４を作動させて把持ハンド４１を移動させていちごｓの果柄の把持状態を解除するボタン式のスイッチ５３を取り付けることによって、収穫装置Ｂが構成される。
【００３７】
なお、本実施例ではスイッチ５３はボタン式としているが、光量が設定値以下になると果実収穫モータ４４を回転させる信号を発する光センサや、マニピュレータフレーム３８の傾斜が設定角度以下になると果実収穫モータ４４を回転させる信号を発する傾斜センサや、把持ハンド４１とストッパ４２とがいちごｓの果柄を把持してから一定時間後に果実収穫モータ４４を回転させる信号を発するタイマーなどで構成してもよい。
【００３８】
上記構成によれば、収穫装置Ｂは上下動装置２１と左右動装置２９と前後動装置３５とによって前後左右上下方向に自在に移動することができるので、超音波センサ３７と収穫識別センサ４９とマニピュレータ４５とは独立した移動機構を備える必要が無いので、狭い作業スペースでも効率よく作業が行えると共に、機体の構成が簡潔になるので、故障が少なく効率的に作業を行うことができる。
【００３９】
そして、超音波センサ３７はいちごｓの茎葉等の遮蔽物の少ない下方からいちごｓの有無を検出するため、いちごｓが確実に検出されるのでいちごｓの検出漏れを防止することができると共に、正確な収穫作業を行うことができる。
【００４０】
また、超音波センサ３７がいちごｓの有無を検出すると同時に超音波センサ３７からいちごｓまでの距離を検出できることによって、収穫識別センサ４９やマニピュレータ４５をいちごｓを適正に識別・収穫できる位置に移動させることができるので、収穫識別センサ４９やマニピュレータ４５が移動時にいちごｓを傷つけることが防止されると共に、いちごｓの収穫可否の識別やいちごｓの収穫が適正に行われるため、果実の品質が向上する。
【００４１】
さらに、ストッパ４２で把持ハンド４１の動作だけを規制することによって、いちごｓの果柄を把持すると同時に切断することができるので、少ない動作でいちごｓを収穫することができ、作業能率が向上する。
【００４２】
そして、把持ハンド４１と果柄カッタ４３とを同じ果実収穫モータ４４で移動させることにより、機体を構成する部品の数を減らすことができるので、機体の構成が簡潔になり、故障が少なく効率的に作業を行うことができると共に、コストダウンを図ることができる。
【００４３】
また、収穫識別センサ４９が三つのカラーセンサ（第１、第２、第３カラーセンサ）４７ａ，４７ｂ，４７ｃを縦方向に並べて構成していることによって、カラーセンサ４７ａまたは４７ｂのどちらかが、あるいは両方が赤色を検出しなければ未熟いちごと判断して収穫しないようにすることができ、カラーセンサ４７ａと４７ｂとが赤色を検出し、カラーセンサ４７ｃが赤色を検出しなかった場合は小粒の成熟いちごと判断して収穫することができると共に、カラーセンサ４７ｃが赤色を検出しても、赤色の割合が設定値以下の場合は未熟いちごと判断して収穫しないようにすることができるので、収穫対象のいちごｓが収穫可能かどうかが正確に識別され、識別ミスが防止されるので、正確な収穫作業を行うことができる。
【００４４】
さらに、収穫識別センサ４９をマニピュレータ４５よりも下方に設けたことによって、収穫識別センサ４９をいちごｓの識別作業を行う位置に移動させるとマニピュレータ４５もいちごｓを収穫する位置に移動させることができるので、少ない動作でいちごｓを収穫することができ、作業能率が向上する。
【００４５】
そして、回収プレート５１に超音波センサ３７は通過でき、一対の突起４０，４０は回収プレート５１の屈曲部分に接触する幅の切欠５２を複数切り欠いていることによって、把持ハンド４１とストッパ４２とでいちごｓの果柄を把持した収穫装置Ｂを前方へ移動させると超音波センサ３７は切欠５２に入ると共に、一対の突起４０，４０は回収プレート５１の屈曲部に接触すると連結プレート３６を機体外側方に押して蝶番３９を介して連結したマニピュレータフレーム３８を機体内側方向に移動させるので、把持ハンド４１とストッパ４２とに把持されたいちごｓを後述する回収部Ｃに近づけてから落下させるため、いちごｓが落下する距離を短くすることができるので、果実を傷つけることなく回収部Ｃに投入することができ、果実の品質が向上する。
【００４６】
また、蝶番３９にマニピュレータフレーム３８が機体内側方向に一定距離以上移動するとＯＮになるスイッチ５３を取り付けたことによって、マニピュレータフレーム３８が機体内側方向に移動すると自動的にスイッチがＯＮになって果実収穫モータ４４を作動させ、把持ハンド４１を移動させていちごｓの果柄の把持状態を解除することができるので、いちごｓの回収部Ｃへの投入が自動的に行われ、作業能率が向上する。
【００４７】
さらに、接続プレート３６とマニピュレータフレーム３８との間にスプリング４６を取り付けたことによって、収穫装置Ｂが後退して一対の突起４０，４０が回収フレーム５１の屈曲部分から離れたときに、マニュピレータフレーム３８はスプリング４６によって自動的に起き上がることができるので、収穫作業が全自動化され、作業能率が向上する。
【００４８】
次に、回収部Ｃについて説明する。
前記上下動フレーム１５上で且つ左右動フレーム２３よりも機体内側に切欠部を設け、該切欠部に着脱自在なトレイ５５を載置して、回収部Ｃを構成する。
【００４９】
上記構成によれば、トレイ５５が着脱自在であることによって、トレイ５５を外して回収されたいちごｓをまとめて移動させることができるので、いちごｓ収穫ロボットから一つ一ついちごｓを取り出す作業が省略されるので、作業能率が向上すると共に、作業者の労力が軽減される。
【００５０】
また、収穫するいちごｓの種類や作業条件に合わせて形状や材質の異なるトレイ５５を載置することができるので、作業能率が向上する。
次に、本実施例のいちご収穫ロボットの作業手順について、フローチャート等を用いながら説明する。
【００５１】
図７には収穫装置Ｂを用いていちごｓを収穫する際のフローチャートを示し、図８〜図１０にはブロック図を示す。
まず、収穫装置ＢをＸ軸方向に移動させていちごｓの下方に移動させ、超音波センサ３７を作動させていちごｓの有無を走査する。また、超音波センサ３７の捜査範囲内にいちごｓがあれば超音波センサ３７からいちごｓまでの距離を算出し、この距離が制御装置（ＣＰＵ）に入力されている設定値（超音波センサ３７から収穫識別センサ４９までの距離）よりも大きければ上下動モータ１６を作動させて収穫装置Ｂを設定値と等しくなるまでＺ軸方向に上昇させ、設定値よりも小さければ収穫装置Ｂを設定値と等しくなるまでＺ軸方向に下降させる。超音波センサ３７の捜査範囲内にいちごｓが無ければ、左右動モータ２７を作動させ、収穫装置ＢをＸ軸方向へ移動させ、再び超音波センサ３７によるいちごｓの有無の判定を行う。
【００５２】
そして、収穫識別センサ４９の第１〜第３カラーセンサ４７ａ，４７ｂ，４７ｃによって収穫対象のいちごｓの赤色を検出させる。この第１〜第３カラーセンサ４７ａ，４７ｂ，４７ｃは夫々いちごｓの赤色の割合（着色率）を識別し、着色率が制御装置５６の設定値以上であれば、検出数を１として判定するものである。
【００５３】
第１、第２、第３カラーセンサ４７ａ，４７ｂ，４７ｃの検出数の合計が１以下である場合、対象のいちごｓは未熟と判断して収穫装置Ｂを移動させる。
【００５４】
上記以外の条件の場合、収穫対象のいちごｓは熟していると判断し、果実収穫モータ４４を作動させ、マニピュレータ４５の把持ハンド４１と果柄カッタ４３とを移動させて収穫対象のいちごｓの果柄を把持・切断して収穫する。
表１はイメージであり、記載している結果は一例である。
【００５５】
【表１】
0005407020.tif 000002
（収穫可と判断する着色率は８０％以上に設定）
【００５６】
そして、マニピュレータ４５がいちごｓの果柄を把持すると、前後動モータ３２を作動させてマニピュレータ４５の一対の突起４０，４０が回収プレート５１の屈曲部に接触するまで前進させ、マニピュレータ４５を回収部Ｃのトレイ５５へと移動させる。このマニピュレータ４５の移動によって蝶番３９に設けたスイッチ５３がＯＮになると、制御装置５６は果実収穫モータ４４を作動させ、いちごｓの果柄を把持している把持ハンド４１を移動させて把持状態を解除するため、把持されていたいちごｓがトレイ５５に投入される。
【００５７】
いちごｓの収穫を終えた収穫装置は前後動モータ３２を作動させて後退させ、マニピュレータ４５を回収部Ｃから離間させて通常の作業位置に復帰させる。このとき、いちご収穫ロボットは設定されている作業ストロークに到達しているかどうかを判定し、到達していれば収穫作業を終了する。到達していない場合、次の収穫対象のいちごｓの有無を判定し、上記動作を繰り返す。
【００５８】
以下、本件いちご収穫ロボットの別実施例を説明する。
図１１で示すように、一対の収穫装置Ｂ１，Ｂ２の左右動ラック２２及びスライドレール２４を連結させると共に、作業開始位置を夫々いちご収穫ロボットの進行方向に対して前後端から行うように配置する構成としてもよい。
【００５９】
このとき、図１２のフローチャートに示すように、一対の収穫装置Ｂ１，Ｂ２の収穫作業手順は通常の実施例と同じであるが、前端側に設けた収穫装置Ｂ１はＸ座標をプラスの方向に、後端側に設けた収穫装置Ｂ２はＸ座標をマイナスの方向に移動するように設定する。また、収穫装置Ｂ１，Ｂ２が走査中に隣接した場合、収穫対象のいちごｓは収穫作業範囲内にないと判断できるので次の栽培棚Ｔまでいちご収穫ロボットを移動させると共に、どちらか一方が収穫作業を行っている場合は、その収穫作業が終了した時点で収穫対象のいちごｓは収穫作業範囲内に無いと判断できるので次の栽培棚Ｔまでいちご収穫ロボットを移動させる。
【００６０】
なお、図１３には一対の収穫装置Ｂ１，Ｂ２のブロック図を示す。
上記構成によれば、一対の収穫装置Ｂ１，Ｂ２を互いに逆方向から移動させて収穫作業を行うことによって、いちごｓの植生状態等の条件により、一方の収穫装置だけが作業を行い、もう一方の収穫装置が何もしないという状況を回避することができるので、作業能率が向上する。
【００６１】
図１４のフローチャート及びブロック図１５で示すように、いちご収穫ロボットに収穫作業区域の温度を計測し、計測した温度と制御装置５６に設定した設定値（いちごｓが平均的な速度で成熟する際の気温等）に応じて第１〜第３カラーセンサ４７ａ，４７ｂ，４７ｃが収穫可能と判断する着色率を変更する信号を発する温度センサ５９を設けてもよい。
【００６２】
いちご等の果物は、一般的に気温が高いと成熟が早くなり、気温が低いと成熟が停滞するものである。このため、気温が高いときにいちご収穫ロボットで収穫作業を行うと、着色率が僅かに足りないため収穫を見送ったいちごｓは次の収穫作業までに完熟を超えてしまい、枯れたり腐ったりしてしまうおそれがある。逆に、気温が低いときに収穫作業を行うと、収穫可能と判断されたいちごｓは全て収穫されるが、次の作業で収穫すれば完熟に近い状態で収穫できるいちごｓまで収穫してしまう可能性がある。
【００６３】
しかしながら、上記構成のように温度センサ５９を設けたいちご収穫ロボットが、収穫作業を行う収穫作業区域の温度に応じて第１〜第３カラーセンサ４７ａ，４７ｂ，４７ｃが収穫可能と判断する着色率を変更できることによって、作業区域の気温が設定値よりも高ければ収穫可能と判断する着色率を通常よりも低くして、放置すると次の収穫作業までに枯れたり腐ったりするいちごｓを収穫することができると共に、作業区域の気温が設定値よりも低ければ収穫可能と判断する着色率を通常よりも高くして、次の収穫作業で収穫すれば完熟に近い状態で収穫できるいちごｓを収穫しないようにすることができるので、いちごｓの商品価値が高い状態で収穫することができる。
【００６４】
表２、表３はイメージであり、記載している結果は一例である。
【００６５】
【表２】
0005407020.tif 000003
（気温の上昇に伴い、収穫可と判断する着色率を７５％以上に変更）
【００６６】
【表３】
0005407020.tif 000004
（気温の低下に伴い、収穫可と判断する着色率を８５％以上に変更）
【００６７】
また、図１６で示すように、いちごｓを回収するトレイ５５の下部に低温（１０〜１５℃程度）の保冷剤６０を取り付ける保冷剤ケース６１を取り付ける構成としても良い。
通常のトレイ５５では時間と共に収穫したいちごｓに気温の影響が出てしまい、特に最初の方に収穫したいちごｓについては萎びたり煮えてしまったりして鮮度が低下するおそれがあるが、上記構成とすることによって、収穫したいちごｓを気温の影響を受けないようにすることができるので、いちごｓの鮮度を保たれ、いちごｓの品質が向上する。
【図面の簡単な説明】
【００６８】
【図１】果実収穫ロボットの側面図
【図２】果実収穫ロボットの正面図
【図３】果実収穫ロボットの平面図
【図４】果実収穫ロボットの側面図の要部拡大図
【図５】（ａ）果実収穫前の把持ハンド・切断アームの平面図（ｂ）果実の果柄を把持中の把持ハンド・切断アームの平面図（ｃ）果実の果柄を切断後の把持ハンド・切断アームの平面図
【図６】マニピュレータの側面図
【図７】果実収穫ロボットの収穫作業を示すフローチャート
【図８】果実収穫ロボットの制御ブロック図
【図９】果実収穫ロボットの制御ブロック図
【図１０】果実収穫ロボットの制御ブロック図
【図１１】２基の収穫装置で収穫作業を行う果実収穫ロボットの側面図
【図１２】２基の収穫装置で収穫作業を行う果実収穫ロボットの収穫作業を示すフローチャート
【図１３】２基の収穫装置で収穫作業を行う果実収穫ロボットのブロック図
【図１４】温度センサを設けた果実収穫ロボットの収穫作業を示すフローチャート
【図１５】温度センサを設けた果実収穫ロボットのブロック図
【図１６】回収部の別実施例を示す正面断面図
【符号の説明】
【００６９】
９Ｆ    収穫部フレーム
９Ｒ    収穫部フレーム
３７    超音波センサ（検出装置）
３８    マニピュレータフレーム
４０    突起
４１    把持ハンド（把持部材）
４２    ストッパ（規制部材）
４３    果柄カッタ（切断部材）
４４    果実収穫モータ（駆動装置）
４５    マニピュレータ
４７ａ  第１カラーセンサ
４７ｂ  第２カラーセンサ
４７ｃ  第３カラーセンサ
４９    収穫識別センサ（識別装置）
５１    回収プレート
５３    スイッチ
Ａ      走行装置
Ｂ      収穫装置
Ｃ      回収部
ｓ      いちご（果実）
Ｔ      栽培棚
【図１】
0005407020.tif 000005
【図２】
0005407020.tif 000006
【図３】
0005407020.tif 000007
【図４】
0005407020.tif 000008
【図５】
0005407020.tif 000009
【図６】
0005407020.tif 000010
【図７】
0005407020.tif 000011
【図８】
0005407020.tif 000012
【図９】
0005407020.tif 000013
【図１０】
0005407020.tif 000014
【図１１】
0005407020.tif 000015
【図１２】
0005407020.tif 000016
【図１３】
0005407020.tif 000017
【図１４】
0005407020.tif 000018
【図１５】
0005407020.tif 000019
【図１６】
0005407020.tif 000020